(57)【要約】      （修正有）【課題】ユーザが要求する空調環境の実現を可能にする空調機器制御装置を提供することにある。【解決手段】本発明の空調機器制御装置２０は、温湿度情報受付部２５ｃと、快適域設定部２５ｅと、指令生成部２５ｉと、表示部２２とを備える。温湿度情報受付部２５ｃは、温湿度情報を受け付ける。温湿度情報は、ユーザによって入力された温度および湿度に関する情報である。快適域設定部２５ｅは、温湿度情報に基づいて、快適域を設定する。快適域は、ユーザの快適な温湿度の範囲である。指令生成部２５ｉは、快適域に基づいて空調機器を作動させる指令を生成する。表示部２２は、快適域を表示する。ユーザの意図を反映した空調制御を行うことができる。【選択図】図４
2011058668.tif 000002
【特許請求の範囲】
【請求項１】
ユーザによって入力された温度および湿度に関する情報である温湿度情報を受け付ける温湿度情報受付部（２５ｃ）と、
前記温湿度情報に基づいて、前記ユーザの快適な温湿度の範囲である快適域を設定する快適域設定部（２５ｅ）と、
前記快適域に基づいて空調機器を作動させる指令を生成する指令生成部（２５ｉ）と、
前記快適域を表示する表示部（２２）と
を備えた、
空調機器制御装置（２０）。
【請求項２】
前記温湿度情報受付部は、前記快適域を変更するユーザからの指令に含まれる前記温湿度情報である新たな温湿度情報を受け付け、
前記快適域設定部は、前記指令に含まれる前記新たな温湿度情報に基づいて、前記快適域を移動または変更する、
請求項１に記載の空調機器制御装置。
【請求項３】
前記快適域を示す画像を形成する画像形成部（２５ｆ）をさらに備え、
前記表示部は、前記快適域を示す前記画像を表示する、
請求項１または２に記載の空調機器制御装置。
【請求項４】
前記快適域設定部は、前記画像の中心を移動させることにより前記快適域を移動させ、または、前記画像の幅または高さを変動させることにより、前記快適域を拡大または縮小する、
請求項３に記載の空調機器制御装置。
【請求項５】
前記画像形成部は、２つの温度線と２つの湿度線とを用いて前記快適域を示す前記画像を形成する、
請求項３または４に記載の空調機器制御装置。
【請求項６】
前記画像形成部は、前記２つの温度線と、前記２つの湿度線とからなる菱型に近い形状である前記画像を形成し、
前記快適域設定部は、前記画像の中心が移動されることにより、前記快適域を移動させ、前記２つの温度線および前記２つの湿度線のいずれかの線が移動されることにより、前記快適域を拡大または縮小する、
請求項５に記載の空調機器制御装置。
【請求項７】
室内の現在の温度を取得する温度取得部（２５ａ）と、
前記室内の現在の湿度を取得する湿度取得部（２５ａ）と、
省エネ重視モードおよび快適性重視モードのいずれかの制御モードであって、ユーザが所望する前記制御モードについての選択を受け付ける制御モード受付部（２５ｄ）と
をさらに備え、
前記制御指令生成部は、前記制御モードに応じた前記制御指令を、前記現在の温度および前記現在の湿度と、前記快適域とに基づいて生成する、
請求項１から６のいずれかに記載の空調機器制御装置。
【請求項８】
前記省エネ重視モードが選択された場合に、前記快適域内の温度および湿度であって最も省エネを重視した値である第１温度および第１湿度を特定する第１目標値特定部（２５ｇ）と、
前記快適性重視モードが選択された場合に、前記快適域内の温度および湿度であって最も快適性を重視した値である第２温度および第２湿度を特定する第２目標値特定部（２５ｈ）と
をさらに備え、
前記制御指令生成部は、前記省エネ重視モードが選択された場合、前記第１温度および前記第１湿度に基づいた前記制御指令を生成し、前記快適性重視モードが選択された場合、前記第２温度および前記第２湿度に基づいた前記制御指令を生成する、
請求項７に記載の空調機器制御装置。
【請求項９】
前記表示部は、前記快適域を示す前記画像と共に、前記現在の温度および前記現在の湿度を示す記号を表示する、
請求項７または８に記載の空調機器制御装置。
【請求項１０】
前記現在の温度および前記現在の湿度の推移を時系列で記憶する温湿度推移記憶領域（２４ｃ）をさらに備え、
前記表示部は、さらに、前記推移を表示する、
請求項９に記載の空調機器制御装置。
【請求項１１】
屋外環境に関する情報を取得する屋外情報取得部（２５ｂ）と、
前記快適域が設定されるタイミングで取得された前記屋外環境に関する情報と前記快適域とを関連付けて記憶する屋外情報記憶領域（２４ａ）と
をさらに備え、
前記快適域設定部は、前記空調機器の使用開始時に前記屋外情報取得部によって取得された屋外環境に関する情報と、前記屋外情報記憶領域において前記屋外環境に関する情報に関連付けて記憶されている前記快適域とに基づいて、使用開始時の快適域を設定する、
請求項１〜１０のいずれかに記載の空調機器制御装置。
【発明の詳細な説明】
【技術分野】
【０００１】
本発明は、空調機器制御装置に関する。
【背景技術】
【０００２】
従来、室内の温度および室内の湿度を制御することにより、省エネルギーおよび快適性に対するユーザの要求を満たすための技術が提案されている。例えば、特許文献１（特開２００８−１７００２５号公報）では、快適性指標に基づいた、室内温度および室内湿度の複数の組合せから、省エネルギーとなる室内温度と室内湿度を一定周期毎に選択している。
【発明の概要】
【発明が解決しようとする課題】
【０００３】
しかし、快適性の判断はユーザによって大きく異なる。したがって、上記技術を採用した場合であっても、ユーザの要求を十分に満たすとは言いきれない。
【０００４】
そこで、本発明の課題は、ユーザが要求する空調環境の実現を可能にする空調機器制御装置を提供することにある。
【課題を解決するための手段】
【０００５】
第１発明に係る空調機器制御装置は、温湿度情報受付部と、快適域設定部と、指令生成部と、表示部とを備える。温湿度情報受付部は、温湿度情報を受け付ける。温湿度情報は、ユーザによって入力された温度および湿度に関する情報である。快適域設定部は、温湿度情報に基づいて、快適域を設定する。快適域は、ユーザの快適な温湿度の範囲である。指令生成部は、快適域に基づいて空調機器を作動させる指令を生成する。表示部は、快適域を表示する。
【０００６】
本発明に係る空調機器制御装置では、ユーザによって温度および湿度に関する情報が入力されると、当該情報に基づいて快適域が設定される。また、快適域が表示部に表示される。
【０００７】
これにより、ユーザの意図を反映した空調制御を行うことができる。
【０００８】
第２発明に係る空調機器制御装置は、第１発明に係る空調機器制御装置であって、温湿度情報受付部は、新たな温湿度情報を受け付ける。新たな温湿度情報は、快適域を変更するユーザからの指令に含まれる温湿度情報である。快適域設定部は、指令に含まれる新たな温湿度情報に基づいて、快適域を移動または変更する。
【０００９】
本発明に係る空調機器制御装置では、ユーザから入力される快適域の変更に係る指令を受け付けると、当該指令に含まれる新たな温湿度情報に基づいて快適域が移動または変更する。
【００１０】
これにより、ユーザが所望する空調環境を実現することができる。
【００１１】
第３発明に係る空調機器制御装置は、第１または２発明に係る空調機器制御装置であって、画像形成部をさらに備える。画像形成部は、快適域を示す画像を形成する。表示部は、快適域を示す画像を表示する。
【００１２】
本発明に係る空調機器制御装置では、快適域を示す画像が形成され、当該画像が表示部に表示される。
【００１３】
これにより、快適域を視覚的に把握することができる。
【００１４】
第４発明に係る空調機器制御装置は、第３発明に係る空調機器制御装置であって、快適域設定部は、画像の中心を移動させることにより快適域を移動させ、または、画像の幅または高さを変動させることにより、快適域を拡大または縮小する。
【００１５】
本発明に係る空調機器制御装置では、ユーザによる変更指令を受け付けると、当該指令に基づいて快適域が移動、拡大または縮小される。画像の中心を移動させることにより快適域は移動する。また、画像の幅または高さを変動させることにより快適域は拡大または縮小する。
【００１６】
これにより、ユーザの要望に柔軟に対応することができる。
【００１７】
第５発明に係る空調機器制御装置は、第３または第４発明に係る空調機器制御装置であって、画像形成部は、２つの温度線と２つの湿度線とを用いて快適域を示す画像を形成する。
【００１８】
本発明に係る空調機器制御装置では、表示部に、ユーザの快適な温湿度の範囲を示す快適域を示す画像が表示される。当該画像は、２つの温度線と２つの湿度線とを用いて、ユーザの快適な温湿度の範囲である快適域を示す。
【００１９】
これにより、快適域を容易に把握することができる。
【００２０】
第６発明に係る空調機器制御装置は、第５発明に係る空調機器制御装置であって、画像形成部は、菱型に近い形状である画像を形成する。菱型に近い形状は、２つの温度線と、２つの湿度線とからなる。また、快適域設定部は、画像の中心が移動されることにより、快適域を移動させ、２つの温度線および２つの湿度線のいずれかの線が移動されることにより、快適域を拡大または縮小する。
【００２１】
本発明に係る空調機器制御装置では、表示部には、画像形成部によって形成された菱型に近い形状が表示される。菱型に近い形状は、温度に関するユーザの快適域を示す２つの温度線と、湿度に関するユーザの快適域を示す２つの湿度線とからなる。画像の中心が移動されることにより、快適域が移動する。また、２つの温度線および２つの湿度線のいずれかが移動されることにより、快適域が拡大または縮小される。
【００２２】
これにより、快適域の変更をユーザが視覚的に確認することができる。
【００２３】
第７発明に係る空調機器制御装置は、第１から第６発明のいずれかに係る空調機器制御装置であって、温度取得部と、湿度取得部と、制御モード受付部とをさらに備える。温度取得部は、室内の現在の温度を取得する。湿度取得部は、室内の現在の湿度を取得する。制御モード受付部は、ユーザが所望する制御モードについての選択を受け付ける。制御モードは、省エネ重視モードおよび快適性重視モードのいずれかである。省エネ重視モードは、省エネを重視した制御を行うためのモードである。快適性重視モードは、快適性を重視した制御を行うためのモードである。制御指令生成部は、制御モードに応じた制御指令を、現在の温度および前記現在の湿度と、快適域とに基づいて生成する。
【００２４】
本発明に係る空調機器制御装置では、室内の現在の温度および室内の現在の湿度が取得される。また、ユーザが所望する制御モードの選択が受け付けられる。制御モードは、省エネ重視モードおよび快適性重視モードのいずれかである。制御指令生成部は、選択された制御モードに応じた制御指令を、室内の現在の温度および室内の現在の湿度と、ユーザの快適域とに基づいて生成する。
【００２５】
これにより、ユーザの意向をより反映させることができる。
【００２６】
第８発明に係る空調機器制御装置は、第７発明に係る空調機器制御装置であって、第１目標値特定部と第２目標値特定部とをさらに備える。第１目標値特定部は、省エネ重視モードが選択された場合に、第１温度および第１湿度を特定する。第１温度および第１湿度は、快適域内の温度および湿度であって、省エネを重視した値である。第２目標値特定部は、第２温度および第２湿度を特定する。第２温度および第２湿度は、快適性重視モードが選択された場合に、快適域内の温度および湿度であって、快適性を重視した値である。また、制御指令生成部は、省エネ重視モードが選択された場合、第１温度および前記第１湿度に基づいた制御指令を生成し、快適性重視モードが選択された場合、第２温度および第２湿度に基づいた制御指令を生成する。
【００２７】
本発明に係る空調機器制御装置では、省エネ重視モードが選択されると、快適域内の温度および湿度であって、省エネを重視した温度および湿度に基づいた制御指令が生成される。また、快適性重視モードが選択されると、快適域内の温度および湿度であって、快適性を重視した温度および湿度に基づいて制御される。
【００２８】
これにより、空調機器の省エネ制御を優先した省エネ重視モードと、省エネを考慮しない快適性重視モードとを選択的に実行することができる。
【００２９】
第９発明に係る空調機器制御装置は、第７または第８発明に係る空調機器制御装置であって、表示部は、快適域を示す画像と共に、記号を表示する。記号は、現在の温度および現在の湿度を示す。
【００３０】
本発明に係る空調機器制御装置では、表示部に、ユーザの快適域と、現在の温度および現在の湿度を示す記号とが表示される。記号には、文字、符号、標章などが含まれる。
【００３１】
これにより、現在の室内環境を把握することができる。
【００３２】
第１０発明に係る空調機器制御装置は、第９発明に係る空調機器制御装置であって、温湿度推移記憶領域をさらに備える。温湿度推移記憶領域は、現在の温度および現在の湿度の推移を時系列で記憶する。また、表示部は、さらに、推移を表示する。
【００３３】
本発明に係る空調機器制御装置では、現在の温度および現在の湿度の推移が時系列で記憶される。また、当該推移が表示部に表示される。
【００３４】
これにより、快適域に対する室内環境の変化を視覚的に把握することができる。
【００３５】
第１１発明に係る空調機器制御装置は、第１から第１０発明のいずれかに係る空調機器制御装置であって、屋外情報取得部と、屋外情報記憶領域とをさらに備える。屋外情報取得部は、屋外環境に関する情報を取得する。屋外環境に関する情報には、例えば、室外温度や室外湿度などが含まれる。屋外情報記憶領域は、快適域が設定されるタイミングで取得された屋外環境に関する情報と、快適域とを関連付けて記憶する。また、快適域設定部は、空調機器の使用開始時に屋外情報取得部によって取得された屋外環境に関する情報と、屋外情報記憶領域において屋外環境に関する情報に関連付けて記憶されている快適域とに基づいて、使用開始時の快適域を設定する。
【００３６】
本発明に係る空調機器制御装置では、屋外環境に関する情報が取得される。屋外環境に関する情報には、例えば、室外温度および室外湿度などが含まれる。また、快適域が設定されたタイミングで取得された屋外環境に関する情報は、当該設定された快適域に関連付けて記憶される。空調機器の使用開始時には、屋外情報取得部によって屋外環境に関する情報が取得される。また、当該屋外環境に関する情報と、特外情報記憶領域に記憶された快適域とに基づいて、使用開示時の快適域が設定される。
【００３７】
これにより、空調機器の使用開始時においても、ユーザが過去に設定した快適域に基づいた空調機器の制御を行うことができる。
【発明の効果】
【００３８】
第１発明に係る空調機器制御装置では、ユーザの意図を反映した空調制御を行うことができる。
【００３９】
第２発明に係る空調機器制御装置では、ユーザが所望する空調環境を実現することができる。
【００４０】
第３発明に係る空調機器制御装置では、快適域を視覚的に把握することができる。
【００４１】
第４発明に係る空調機器制御装置では、ユーザの要望に柔軟に対応することができる。
【００４２】
第５発明に係る空調機器制御装置では、快適域を容易に把握することができる。
【００４３】
第６発明に係る空調機器制御装置では、快適域の変更をユーザが視覚的に確認することができる。
【００４４】
第７発明に係る空調機器制御装置では、ユーザの意向をより反映させることができる。
【００４５】
第８発明に係る空調機器制御装置では、空調機器の省エネ制御を優先した省エネ重視モードと、省エネを考慮しない快適性重視モードとを選択的に実行することができる。
【００４６】
第９発明に係る空調機器制御装置では、現在の室内環境を把握することができる。
【００４７】
第１０発明に係る空調機器制御装置では、快適域に対する室内環境の変化を視覚的に把握することができる。
【００４８】
第１１発明に係る空調機器制御装置では、空調機器の使用開始時においても、ユーザが過去に設定した快適域に基づいた空調機器の制御を行うことができる。
【図面の簡単な説明】
【００４９】
【図１】空調機器制御システムの全体構成を示す図である。
【図２】空調機器の概略構成図である。
【図３Ａ】コントローラの外観を示す図である。
【図３Ｂ】コントローラの外観を示す図である。
【図４】コントローラの概略構成図である。
【図５Ａ】記憶部に記憶された情報の一部を示す図である。
【図５Ｂ】第１目標値の特定方法を示す図である。
【図５Ｃ】第２目標値の特定方法を示す図である。
【図５Ｄ】快適域および内包温湿度域と、各領域の上下限値を示す図である。
【図６Ａ】コントローラ起動時の目標値特定処理の流れを示す図である。
【図６Ｂ】コントローラ起動時の目標値特定処理の流れを示す図である。
【図６Ｃ】変更指令受付時の目標値特定処理の流れを示す図である。
【図７】制御指令生成処理の流れを示す図である。
【図８】変形例（３）に係る表示領域を示す図である。
【図９】変形例（４）に係るコントローラの概略構成図である。
【図１０】変形例（４）に係る表示領域を示す図である。
【図１１】変形例（５）に係るコントローラの概略構成図である。
【図１２】変形例（６）に係るコントローラの概略構成図である。
【図１３】変形例（９）に係るコントローラの概略構成図である。
【発明を実施するための形態】
【００５０】
以下、図面を参照して、本発明に係る空調機器制御システム１００について説明する。
【００５１】
１．全体構成
図１に示す空調機器制御システム１００は、空調機器１０と、空調機器１０を制御するコントローラ（空調機器制御装置）とからなる。空調機器１０には、空調機１１と湿度制御器１２とが含まれる。空調機１１は、室内ユニットおよび室外ユニットからなり、室内温度を調整する。湿度制御器１２は、室内湿度を調整する。コントローラ２０は、専用の制御線１３を介して、空調機１１および湿度制御器１２と接続されている。コントローラ２０は、ユーザによる設定に応じて制御指令を生成し、空調機１１および湿度制御器１２は当該制御指令に基づいて作動する。
【００５２】
２．各部の構成
以下、空調機器制御システム１００に含まれる各部の構成について説明する。
【００５３】
（１）空調機および湿度制御器の構成
まず、図２を参照して、本実施形態で用いる空調機１１および湿度制御器１２の概略構成を説明する。
【００５４】
〔空調機〕
空調機１１は、一台の室外ユニットおよび一台の室内ユニットからなるシングルタイプの空調機である。空調機１１は、主として、空調制御部１１ａ、温度調整手段１１ｂ、室内温度センサ１１ｃ、室内湿度センサ１１ｄ、室外温度センサ１１ｅ、および室外湿度センサ１１ｆを有する。
【００５５】
ａ）空調制御部
空調制御部１１ａは、コントローラ２０から送られる制御指令（起動または停止、設定温度の変更、運転モードの変更等）に応じて、後述する温度調整手段１１ｂを動作させる。また、空調制御部１１ａは、後述する各種センサ１１ｃ〜１１ｆによって得られた値を取得し、コントローラ２０に送る。
【００５６】
ｂ）温度調整部
温度調整部１１ｂは、図示しない圧縮機やファン等によって構成される冷媒回路である。温度調整部１１ｂは、空調制御部１１ａからの指令に応じて、圧縮機の周波数、ファンの回転数、および各種弁の開度の調整等を行う。
【００５７】
ｃ）各種センサ
室内温度センサ１１ｃおよび室内湿度センサ１１ｄは、室内ユニットの空気の吸込み口付近に取り付けられている。室内温度センサ１１ｃは、室内ユニット周辺の温度を検出し、室内湿度センサ１１ｄは、室内ユニット周辺の湿度を検出する。室外温度センサ１１ｅと、室外湿度センサ１１ｆとは、室外ユニットの空気の吸込み口付近に取り付けられている。室外温度センサ１１ｅは、室外ユニット周辺の温度を検出し、室外湿度センサ１１ｆは、室外ユニット周辺の湿度を検出する。各種センサ１１ｃ〜１１ｆは、空調制御部１１ａと接続されている。各種センサ１１ｃ〜１１ｆによって検出された値（温度または湿度）は、制御部に送られる。
【００５８】
〔湿度制御器〕
湿度制御器１２は、室内に配置され室内の空気を内部に取り込む。湿度制御器１２は、内部に取り込んだ空気を除湿または加湿することにより、室内の湿度を制御する。湿度制御器１２は、主として、湿度制御部１２ａと、湿度調整手段１２ｂとを有する。
【００５９】
ａ）湿度制御部
湿度制御部１２ａは、コントローラ２０から送られる制御指令（起動または停止、設定湿度の変更等）に応じて、後述する湿度調整手段１２ｂを動作させる。
【００６０】
ｂ）湿度調整手段
湿度調整手段１２ｂは、図示しないヒータやファン等からなる。湿度調整手段１２ｂは、温度制御部１２ａからの指令に応じて、湿度制御器１２への空気の取り込み、取り込んだ空気の加湿／除湿等を行い、室内の湿度を調整する。
【００６１】
（２）コントローラの構成
次に、図３Ａ〜図５Ａを参照して、本実施形態で用いるコントローラ２０の構成を説明する。
【００６２】
（２−１）コントローラの外観
まず、図３Ａおよび図３Ｂに、コントローラ２０の外観の例を示す。コントローラ２０は、図３Ａおよび図３Ｂに示す画像ＦＧと、後述する制御モードとに基づいて制御指令を生成し、当該制御指令を空調機１１および湿度制御器１２に送信する。これにより、コントローラ２０は、空調機１１および湿度制御器１２を制御する。
【００６３】
コントローラ２０は、表示領域ＤＡと、操作領域ＯＡとを有する。
【００６４】
〔表示領域〕
表示領域ＤＡには、コントローラ２０に設定されている快適域が示される。快適域とは、ユーザに快適性を提供しうる、室内温度および室内湿度の組合せ（以下、快適温湿度）を複数含む領域である。快適域は、表示領域ＤＡに示される画像ＦＧを用いて表される。画像ＦＧは、外側形状ＯＦＧと内側形状ＩＦＧとからなる。外側形状ＯＦＧは、快適域の限界値（上限値・下限値）を示す。外側形状ＯＦＧは、菱型に近い形状である。外側形状ＯＦＧは、上限湿度線ｈｍ１、下限湿度線ｈｍ２、上限温度線ｔｐ１、および下限温度線ｔｐ２によって形成される。上限湿度線ｈｍ１は、相対湿度の上限を示し、下限湿度線ｈｍ２は、相対湿度の下限を示す。具体的には、上限湿度線ｈｍ１および下限湿度線ｈｍ２は、絶対湿度が一定となる相対湿度の上限または下限を示す線である。上限温度線ｔｐ１は、温度の上限を示し、下限温度線ｔｐ２は温度の下限を示す。具体的には、ＳＥＴ＊が一定となる温度の上限または下限を示す線である。内側形状ＩＦＧは、外側形状ＯＦＧの内側に配置される。内側形状ＩＦＧは、内包温湿度領域を示す。内包温湿度領域は、快適域の中心から所定の温湿度を内包する領域である。内包温湿度領域に内包される所定の温湿度は、後述する快適域記憶領域２４ｂに記憶される内包温湿度領域決定情報に基づいて定まる。内包温湿度領域は、快適域（外側形状ＯＦＧ）の移動に伴って移動し、快適域（外側形状ＯＦＧ）の拡大または縮小に伴って、拡大または縮小する。室内温度および／または室内湿度が内包温湿度領域に達すると、内包温湿度領域に達した空調機１１および／または湿度制御器１２はＯＦＦ状態に切り替えられる。具体的には、室内温度および／または室内湿度が内包温湿度領域の上限値および下限値に達すると、作動している空調機１１および／または湿度制御器１２がＯＦＦ状態に切り替えられる。
【００６５】
〔操作領域〕
操作領域ＯＡには、操作ボタンＯＢ１，ＯＢ２が設けられている。操作ボタンＯＢ１，ＯＢ２は、ユーザによる空調機器１０の操作のために用いられる。
【００６６】
操作ボタンＯＢ１は、快適域の移動および変更に用いるボタンである。ここで、快適域の移動とは、快適域の中心が移動することをいう。具体的には、表示領域ＤＡの画像ＦＧの中心が移動することである。また、快適域の変更とは、快適域の拡大または縮小をいう。具体的には、表示領域ＤＡの画像ＦＧの幅または高さを変動させることである。
【００６７】
操作ボタンＯＢ２は、空調機１１および湿度制御器１２の制御モードを設定する際に用いる。本実施形態に係るコントローラ２０では、空調機１１および湿度制御器１２の制御モードとして、省エネ重視モードおよび快適性重視モードを有している。省エネ重視モードおよび快適性重視モードについては、下記の制御モード受付部の説明と併せて詳細に説明する。
【００６８】
なお、コントローラ２０は、上記制御モードの他、図示しないボタン等により、空調機１１の運転モード（冷房モードおよび暖房モード等）を設定することもできる。
【００６９】
（２−２）コントローラの構成
次に、図４を用いて、コントローラ２０の構成を説明する。コントローラ２０は、主として、通信部２１、表示部２２、入力部２３、記憶部２４、および制御部２５からなる。
【００７０】
〔通信部〕
通信部２１は、入出力ポートからなり、コントローラ２０と、空調機１１および湿度制御器１２との間で信号の授受を行うためのインターフェースである。
【００７１】
〔表示部〕
表示部２２は、主としてディスプレイから構成されている。具体的に、表示部２２は、図３Ａおよび図３Ｂに示した表示領域ＤＡである。
【００７２】
〔入力部〕
入力部２３は、主として操作ボタンから構成されている。入力部２３は、図３Ａおよび図３Ｂに示した操作領域ＯＡに配置されている操作ボタンＯＢ１，ＯＢ２等を含む。
【００７３】
〔記憶部〕
記憶部２４には、後述する制御部２５が読み出して実行可能なプログラムが記憶されている。また、記憶部２４は、主として、室外情報記憶領域２４ａおよび快適域記憶領域２４ｂを有する。
【００７４】
ａ）室外情報記憶領域
室外情報記憶領域２４ａは、後述する室外情報取得部２５ｂによって取得された室外温度および室外湿度に関する情報を記憶する（図５Ａの符号ＯＴＨ参照）。ここで、室外温度は、１℃単位、室外湿度５％単位で室外情報記憶領域２４ａに記憶される。すなわち、後述する室外情報取得部２５ｂによって取得される外気温度が２７．５℃以上２８．５℃未満の場合には、２８℃として記憶される。また、室外情報取得部２５ｂによって取得される外気湿度が、６２．５％以上６７．５％未満の場合には、６５％として記憶される。なお、室外情報記憶領域２４ａに記憶された室外温度および室外湿度に関する情報は、後述する快適域記憶領域２４ｂに記憶された情報と関連付けて記憶される。
【００７５】
ｂ）快適域記憶領域.
快適域記憶領域２４ｂは、ユーザの快適域と、快適域に含まれる複数の快適温湿度と、内包温湿度領域に関する情報（内包温湿度領域決定情報）とを記憶する。
【００７６】
快適域とは、上述したように、複数の快適温湿度を含む領域である。具体的に、快適域とは、４つの快適温湿度によって囲まれる領域である。４つの快適温湿度は、図５Ｂの点ＰＰ５，ＰＰ６，ＰＰ７，ＰＰ８に相当する。快適域記憶領域２４ｂには、快適域として、４つの快適温湿度が記憶される（図５ＡのＳＴＨ参照）。快適域記憶領域２４ｂに記憶された快適域に基づいて、表示部２２に示される外側形状ＯＦＧが形成される。快適域として、快適域記憶領域２４ｂには、予め、ＡＳＨＲＡＥが採用している標準有効温度（ＳＥＴ＊）に関する情報が記憶されている。ＳＥＴ＊は、室内の快適域の初期値として用いられる。また、ユーザによる快適域の移動または変更により、新たな快適域が設定されていく。なお、同一の室外環境に対して、異なる快適域が設定された場合には、過去の快適域が新たな快適域によって更新される。
【００７７】
快適域に含まれる複数の快適温湿度は、上述したように、快適域に含まれる温度および湿度のうち、快適な空間を生成しうる温度および湿度の組合せである。
【００７８】
内包温湿度領域決定情報は、上述した内包温湿度領域を決定するための情報を記憶する。具体的には、快適域の温度の限界値（限界温度）との温度差、および快適域の湿度の限界値（限界湿度）との湿度差を記憶する。より具体的に、本実施形態では、快適域の限界温度との差を１℃、快適域の限界湿度との差を５％とする情報が記憶されている。内包温湿度領域決定情報に基づいて、表示部２２に示される快適域の内側形状ＩＦＧが形成される。すなわち、外側形状ＯＦＧと内側形状ＩＦＧとの温度差は１℃、湿度差は５％になる。内包温湿度領域決定情報は、空調機１１および湿度制御器１２が長期間ＯＮ状態を維持しないように設定される。具体的な制御については、後述する。
【００７９】
〔制御部〕
制御部２５は、主としてＣＰＵ、ＲＯＭおよびＲＡＭから構成されており、上述の記憶部２４に記憶されているプログラムを読み出して実行する。
【００８０】
また、制御部２５は、主として、室内情報取得部２５ａ、室外情報取得部２５ｂ、変更指令受付部２５ｃ、制御モード受付部２５ｄ、快適域設定部２５ｅ、画像形成部２５ｆ、第１目標値特定部２５ｇ、第２目標値特定部２５ｈ、制御指令生成部２５ｉ、および制御指令送信部２５ｊとして機能する。
【００８１】
ａ）室内情報取得部
室内情報取得部２５ａは、室内温度センサ１１ｃによって検出された室内温度を所定時間間隔（例えば、１分ごと）で取得する。また、室内情報取得部２５ａは、室内湿度センサ１１ｄによって検出された室内湿度を所定時間間隔（例えば、１分ごと）で取得する。室内情報取得部２５ａによって取得された室内温度および室内湿度は、表示部２２に表示される。本実施形態では、室内情報取得部２５ａによって取得された室内温度および室内湿度は、表示領域ＤＡの画像ＦＧと共に、点ＰＰとして示される。
【００８２】
ｂ）室外情報取得部
室外情報取得部２５ｂは、室外温度センサ１１ｅによって検出された室外温度を所定のタイミングで取得する。室外情報取得部２５ｂはまた、室内湿度センサ１１ｄによって検出された室内湿度を所定のタイミングで取得する。ここで、所定のタイミングとは、コントローラ２０の起動時およびユーザによって快適域が変更されたタイミングである。詳細には、後述する変更指令受付部２５ｃによって変更指令が受け付けられると、室外情報取得部２５ｂは、室外温度および室外湿度を空調機１１から取得する。室外情報取得部２５ｂによって取得された室外温度および室外湿度は、上述の室外情報記憶領域２４ａに記憶される。詳細には、室外温度および室外湿度は、快適域が変更されたタイミングに関連付けて記憶される。
【００８３】
ｃ）変更指令受付部
変更指令受付部２５ｃは、ユーザによって設定される快適域の変更指令を受け付ける。変更指令とは、操作ボタンＯＢ１の操作により出力される信号である。当該信号は、ユーザが所望する温度および湿度に関する情報（温湿度情報）を含む。操作ボタンＯＢ１により出力される信号が受け付けられることにより、後述の快適域設定部２５ｅによって外側形状ＯＦＧの移動、もしくは、外側形状ＯＦＧの変更が実行される。すなわち、ユーザの快適域が移動もしくは変更する。
【００８４】
ｄ）制御モード受付部
制御モード受付部２５ｄは、ユーザによって設定された制御モードを受け付ける。詳細には、ユーザによって操作ボタンＯＢ２が操作されることにより、空調機１１および湿度制御器１２の制御モードを切り替える。ここで、制御モードには、省エネ重視モードと快適性重視モードとが含まれる。
【００８５】
省エネ重視モードとは、快適域記憶領域２４ｂに記憶された複数の快適温湿度のうち、省エネを最も重視した快適温湿度に基づいて空調機１１および湿度制御器１２を動作させるモードである。省エネ重視モードは、快適性重視モードに比べると、快適性は劣るが、快適性および省エネ性の両方を満たすモードである。具体的には、後述する第１目標値特定部２５ｇによって特定された快適温湿度に基づいて、後述の制御指令生成部２５ｉが制御指令を生成する。
【００８６】
一方、快適性重視モードとは、快適域記憶領域２４ｂに記憶された複数の快適温湿度のうち、快適性を最も重視した快適温湿度に基づいて空調機１１および湿度制御器１２を動作させるモードである。快適性重視モードは、省エネ重視モードに比べると、省エネ性は劣るが、快適性および省エネ性の両方を満たすモードである。具体的には、後述する第２目標値特定部２５ｈによって特定された快適温湿度に基づいて、後述の制御指令生成部２５ｉが制御指令を生成する。
【００８７】
ｅ）快適域設定部
快適域設定部２５ｅは、変更指令受付部２５ｃによって受け付けられた変更指令（信号）に基づき、快適域を設定する。具体的には、快適域設定部２５ｅは、変更指令に基づいて、快適域記憶領域２４ｂに記憶されているユーザの快適域を修正する。これにより、ユーザの快適域が移動もしくは変更し、表示部２２に表示される画像ＦＧ（具体的には、外側形状ＯＦＧおよび内側形状ＩＦＧ）が移動し、もしくは、画像ＦＧ（具体的には、外側形状ＯＦＧおよび内側形状ＩＦＧ）の大きさが変更する。
【００８８】
ここで、外側形状ＯＦＧおよび内側形状ＩＦＧの移動とは、外側形状ＯＦＧおよび内側形状ＩＦＧの大きさを変更させずに、外側形状ＯＦＧおよび内側形状ＩＦＧの中心を上下左右のいずれかに移動させることである。このとき、ユーザが所望する快適域の大きさは変動せず、快適域の限界温度および限界湿度は上下左右に移動する。また、外側形状ＯＦＧおよび内側形状ＩＦＧの大きさの変更とは、外側形状ＯＦＧおよび内側形状ＩＦＧを拡大または縮小することである。具体的には、上限湿度線ｈｍ１、下限湿度線ｈｍ２、上限温度線ｔｐ１、および下限温度線ｔｐ２のいずれかが選択され、所望の方向へ移動されることにより、外側形状ＯＦＧおよび内側形状ＩＦＧが拡大または縮小する。このとき、ユーザが所望する快適域の大きさは変動し、快適域の限界温度および限界湿度は上下左右に移動する。
【００８９】
快適域設定部２５ｅは、修正した値を新たな快適域として快適域記憶領域２４ｂに記憶する。新たな快適域は、変更指令を受け付けた際に取得された外気情報と関連付けて記憶される（図５Ａ参照）。
【００９０】
ｆ）画像形成部
画像形成部２５ｆは、快適域記憶領域２４ｂに記憶された情報に基づいて、画像ＦＧを形成する。具体的には、快適域を示す外側形状ＯＦＧと、内包温湿度領域を示す内側形状ＩＦＧとを示す画像ＦＧを形成する。なお、画像ＦＧは、快適域を容易に判定できるように、温度軸（横軸）および湿度軸（縦軸）と比較可能に示される。
【００９１】
ｇ）第１目標値特定部
第１目標値特定部２５ｇは、上記制御モード受付部２５ｄによって受け付けられた制御モードが省エネ重視モードであった場合に、快適域内の第１目標値を特定する。第１目標値とは、省エネを重視した目標値である。第１目標値特定部２５ｇは、快適域内に含まれる複数の快適温湿度の消費電力を予想し、最も消費電力が小さい快適温湿度を特定する。
【００９２】
具体例を、図５Ｂを用いて説明する。図５Ｂには、外側形状ＯＦＧおよび内側形状ＩＦＧと、外側形状ＯＦＧの頂点から伸びる複数の破線が示されている。複数の破線のうち、上下に伸びる破線ｔｐｅ１，ｔｐｅ２は、快適域の上限温度値（ｔｐｅ１）および下限温度値（ｔｐｅ２）を示す。また、複数の破線のうち、左右に伸びる破線ｈｍｅ１，ｈｍｅ２は、快適域の上限湿度値（ｔｍｅ１）および下限湿度値（ｔｍｅ２）を示す。破線ｈｍｅ１，ｈｍｅ２，ｔｐｅ１，ｔｐｅ２と外側形状ＯＦＧとによって、領域ＡＲ１〜ＡＲ８が形成される。
【００９３】
ここで、現在の室内温度（現室内温度）および現在の室内湿度（現室内湿度）が領域ＡＲ１にあった場合（点ＰＰ１参照）、第１目標値特定部２５ｇは、上限湿度線ｈｍ１上の湿度を第１目標値として特定する。具体的には、第１目標値は、現室内湿度を上限湿度線ｈｍ１までシフトさせる値である。すなわち、現室内温度を維持し、湿度を上限湿度線ｈｍ１上の湿度とする第１目標値を特定する。この場合、後述の制御指令生成部２５ｉによって、湿度制御器１２に対してはＯＮ指令が生成され、空調機１１に対してはＯＦＦ指令が生成される。同様に、現室内温度および現室内湿度が領域ＡＲ２にあった場合（点ＰＰ２参照）、第１目標値特定部２５ｇは、下限湿度線ｈｍ２上の湿度を第１目標値として特定する。具体的には、第１目標値は、現室内湿度を下限湿度線ｈｍ２までシフトさせる値である。すなわち、現室内温度を維持し、湿度を下限湿度線ｈｍ２上の湿度とする第１目標値を特定する。この場合も、後述の制御指令生成部２５ｉによって、湿度制御器１２に対してはＯＮ指令が生成され、空調機１１に対してはＯＦＦ指令が生成される。
【００９４】
また、現室内温度および現室内湿度が領域ＡＲ３にあった場合（点ＰＰ３参照）、第１目標値特定部２５ｇは、下限温度線ｔｐ２上の温度を第１目標値として特定する。具体的には、第１目標値は、現室内温度を下限温度線ｔｐ２までシフトさせる値である。すなわち、絶対湿度を維持し、温度を下限温度線ｔｐ２上の温度とする第１目標値を特定する。この場合、後述の制御指令生成部２５ｉによって、空調機１１に対してはＯＮ指令が生成され、湿度制御器１２に対してはＯＦＦ指令が生成される。同様に、現室内温度および現室内湿度が領域ＡＲ４にあった場合（点ＰＰ４参照）、第１目標値特定部２５ｇは、上限温度線ｔｐ１上の温度を第１目標値として特定する。具体的には、第１目標値は、現室内温度を上限温度線ｔｐ１までシフトさせる値である。すなわち、絶対湿度を維持し、温度を上限温度線ｔｐ１上の温度とする第１目標値を特定する。この場合も、後述の制御指令生成部２５ｉによって、空調機１１に対してはＯＮ指令が生成され、湿度制御器１２に対してはＯＦＦ指令が生成される。
【００９５】
さらに、現室内温度および現室内湿度が領域ＡＲ５にあった場合（点ＰＰ５参照）、領域ＡＲ６にあった場合（点ＰＰ６参照）、領域ＡＲ７にあった場合（点ＰＰ７参照）、および領域ＡＲ８にあった場合（点ＰＰ８参照）、外側形状ＯＦＧの頂点の温度および湿度を第１目標値として特定する。この場合、後述の制御指令生成部２５ｉによって、空調機１１および湿度制御器１２に対してＯＮ指令が生成される。
【００９６】
ｈ）第２目標値特定部
第２目標値特定部２５ｈは、上記制御モード受付部２５ｄによって受け付けられた制御モードが快適性重視モードであった場合に、快適域内の第２目標値を特定する。第２目標値とは、快適性を重視した目標値である。
【００９７】
具体例を、図５Ｃを用いて説明する。図５Ｃには、内側形状ＩＦＧと、内側形状ＩＦＧの頂点から伸びる複数の破線が示されている。複数の破線には、図５Ｂと同様、上下に伸びる破線ｔｐｅ１１，ｔｐｅ１２と、左右に伸びる破線ｈｍｅ１１，ｈｍｅ１２とが含まれる。また、破線ｔｐｅ１１，ｔｐｅ１２は、快適域の上限温度値（ｔｐｅ１１）および下限温度値（ｔｐｅ１２）を示し、破線ｈｍｅ１１，ｈｍｅ１２は、快適域の上限湿度値（ｔｍｅ１１）および下限湿度値（ｔｍｅ１２）を示す。ここでも、破線ｈｍｅ１１，ｈｍｅ１２，ｔｐｅ１１，ｔｐｅ１２と内側形状ＩＦＧとによって、領域ＡＲ１〜ＡＲ８が形成される。
【００９８】
ここで、現在の室内温度（現室内温度）および現在の室内湿度（現室内湿度）が領域ＡＲ１にあった場合（点ＰＰ１参照）、第２目標値特定部２５ｈは、内側形状ＩＦＧの上辺上の湿度を第２目標値として特定する。具体的には、第２目標値は、現室内湿度を内側形状ＩＦＧの上辺までシフトさせる値である。すなわち、現室内温度を維持し、湿度を内側形状ＩＦＧの上辺上の湿度とする第２目標値を特定する。この場合、後述の制御指令生成部２５ｉによって、湿度制御器１２に対してはＯＮ指令が生成され、空調機１１に対してはＯＦＦ指令が生成される。同様に、現室内温度および現室内湿度が領域ＡＲ２にあった場合（点ＰＰ２参照）、第２目標値特定部２５ｈは、内側形状ＩＦＧの下辺上の湿度を第２目標値として特定する。具体的には、第２目標値は、現室内湿度を内側形状ＩＦＧの下辺までシフトさせる値である。すなわち、現室内温度を維持し、湿度を内側形状ＩＦＧの下辺上の湿度とする第２目標値を特定する。この場合も、後述の制御指令生成部２５ｉによって、湿度制御器１２に対してはＯＮ指令が生成され、空調機１１に対してはＯＦＦ指令が生成される。
【００９９】
また、現室内温度および現室内湿度が領域ＡＲ３にあった場合（点ＰＰ３参照）、第２目標値特定部２５ｈは、内側形状ＩＦＧの左辺上の温度を第２目標値として特定する。具体的には、第２目標値は、現室内温度を内側形状ＩＦＧの左辺までシフトさせる値である。すなわち、絶対湿度を維持し、温度を内側形状ＩＦＧの左辺上の温度とする第２目標値を特定する。この場合、後述の制御指令生成部２５ｉによって、空調機１１に対してはＯＮ指令が生成され、湿度制御器１２に対してはＯＦＦ指令が生成される。同様に、現室内温度および現室内湿度が領域ＡＲ４にあった場合（点ＰＰ４参照）、第２目標値特定部２５ｈは、内側形状ＩＦＧの右辺上の温度を第２目標値として特定する。具体的には、第２目標値は、現室内温度を内側形状ＩＦＧの右辺までシフトさせる値である。すなわち、絶対湿度を維持し、温度を内側形状ＩＦＧの右辺上の温度とする第２目標値を特定する。この場合、後述の制御指令生成部２５ｉによって、空調機１１に対してはＯＮ指令が生成され、湿度制御器１２に対してはＯＦＦ指令が生成される。
【０１００】
さらに、現室内温度および現室内湿度が領域ＡＲ５にあった場合（点ＰＰ５参照）、領域ＡＲ６にあった場合（点ＰＰ６参照）、領域ＡＲ７にあった場合（点ＰＰ７参照）、および領域ＡＲ８にあった場合（点ＰＰ８参照）は、内側形状ＩＦＧの頂点の温度および湿度を第２目標値として特定する。この場合、後述の制御指令生成部２５ｉによって、空調機１１および湿度制御器１２に対してＯＮ指令が生成される。
【０１０１】
これにより、省エネ重視モードと比較して、より快適性を得られる快適温湿度値が特定される。
【０１０２】
ｉ）制御指令生成部
制御指令生成部２５ｉは、快適域が設定された時の現室内温度および現室内湿度と、第１目標値特定部２５ｇまたは第２目標値特定部２５ｈによって特定された目標値である快適温湿度（特定値）とに基づいて、空調機１１および／または湿度制御器１２を制御するための指令を生成する。
【０１０３】
具体的には、制御指令生成部２５ｉは、現室内温度および現室内湿度が快適域から外れている場合には、空調機１１および／または湿度制御器１２を作動させるための指令（ＯＮ指令）を生成する。現室内温度および現室内の湿度が快適域から外れている場合とは、図３Ｂに示すように、現室内温度および現室内湿度を示す点ＰＰが外側形状ＯＦＧの外にある事をいう。したがって、現室内温度および現室内湿度と、快適域との関係が図３Ｂに示す状態の場合には、制御指令生成部２５ｉは、特定値に基づいたＯＮ指令を生成する。
【０１０４】
より具体的には、現室内温度および現室内湿度が、図５Ｂおよび図５Ｃの領域ＡＲ１，ＡＲ２にある場合には、制御指令生成部２５ｉは、湿度制御器１２に対するＯＮ指令を生成する。ここで、現室内温度および現室内湿度が領域ＡＲ１にある場合には、湿度制御器１２は除湿運転を行うことになり、領域ＡＲ２にある場合には、加湿運転を行うことになる。また、現室内温度および現室内湿度が、図５Ｂおよび図５Ｃの領域ＡＲ３，ＡＲ４にある場合には、制御指令生成部２５ｉは、空調機１１に対するＯＮ指令を生成する。ここで、室内温度および現室内湿度が領域ＡＲ３にある場合には、空調機１１は暖房運転を行うことになり、領域ＡＲ４にある場合には、冷房運転を行うことになる。さらに、現室内温度および現室内湿度が、図５Ｂおよび図５Ｃの領域ＡＲ５〜ＡＲ８にある場合には、制御指令生成部２５ｉは、空調機１１および湿度制御器１２に対するＯＮ指令を生成する。
【０１０５】
その後、室内温度および／または室内湿度が特定値にシフトし、現室内温度および現室内湿度が内包温湿度領域の上辺、下辺、左辺、および右辺、もしくは、これらを伸ばした破線ｈｍｅ１１，ｈｍｅ１２，ｔｐｅ１１，ｔｐｅ１２（図５Ｄ参照）に達すると、制御指令生成部２５ｉは、作動中の空調機１１および／または湿度制御器１２を作動させないための指令（ＯＦＦ指令）を生成する。すなわち、空調機１１および湿度制御器１２の両方をＯＦＦにするよう指令を生成する。
【０１０６】
一方、現室内温度および現室内湿度が快適域内にある場合には（図３Ａ参照）、制御指令生成部２５ｉは、ＯＦＦ指令を生成する。その後、現室内温度および現室内湿度が快適域の上限値または下限値に達すると、制御指令生成部２５ｉは、ＯＮ指令を生成する。
【０１０７】
ｊ）制御指令送信部
制御指令送信部２５ｊは、制御指令生成部２５ｉによって生成された制御指令（ＯＮ指令またはＯＦＦ指令）を、通信部２１を介して、空調機１１および湿度制御器１２に送信する。
【０１０８】
３．空調機器制御システムにおける処理の流れ
次に、本実施形態に係る空調機器制御システム１００における処理の流れを説明する。
【０１０９】
〔目標値特定処理〕
まず初めに、図６Ａ〜図６Ｃを参照して、空調機１１および湿度制御器１２を制御するための第１目標値または第２目標値を特定する処理（目標値特定処理）について説明する。目標値特定処理は、室外情報（室外温度および室外湿度）およびユーザによる設定に基づいて快適域を決定し、快適温湿度および制御モードの関係で空調機１１および湿度制御器１２を作動させるための目標値を特定する処理である。
【０１１０】
（ｉ）起動時
まず、図６Ａおよび図６Ｂを用いて、コントローラ２０の起動時において、目標値が特定される処理について説明する。
【０１１１】
コントローラ２０に電源が入れられると、ステップＳ１０１で、室外情報取得部２５ｂによって、室外の情報が取得される。詳細には、室外温度センサ１１ｅおよび室外湿度センサ１１ｆによって検出された現在の室外温度（現室外温度）および現在の室外湿度（現室外湿度）が、室外情報取得部２５ｂによって取得される。
【０１１２】
ステップＳ１０２では、快適域記憶領域２４ｂに、現室外温度および現室外湿度に対応する快適域が記憶されているか否かが判定される。例えば、現室外温度が２８℃で、現室外湿度が６５％である場合、図５Ａに示す快適域記憶領域２４ｂには、現室外温度および現室外湿度に対応する温度および湿度が記憶されている（符号ＯＴＨ）。また、当該温度および湿度には、快適域が関連付けて記憶されている（符号ＳＴＨ）。したがって、この場合、ステップＳ１０３に進む。一方、現室外温度および現室外湿度に対応する温度および湿度が快適域記憶領域２４ｂに記憶されていない場合には、ステップＳ１１０に進む。
【０１１３】
ステップＳ１０３では、快適域記憶領域２４ｂにおいて現室外温度および現室外湿度に関連付けて記憶されている快適域を利用して、快適域設定部２５ｅによって快適域が設定される。その後、ステップＳ１０４に進む。
【０１１４】
ステップＳ１０４では、快適域記憶領域２４ｂに記憶された情報に基づいて、画像ＦＧが表示される。具体的には、快適域設定部２５ｅによって設定された快適域に基づいて、外側形状ＯＦＧが形成される。また、内包温湿度領域決定情報に基づいて、内側形状ＩＦＧが形成される。その後ステップＳ１０５に進む。
【０１１５】
ステップＳ１０５では、制御モードが判定される。制御モード受付部２５ｄによって受け付けられた制御モードが省エネ重視モードであれば、ステップＳ１０６に進む。制御モード受付部２５ｄによって受け付けられた制御モードが快適性重視モードであれば、ステップＳ１０７に進む。
【０１１６】
ステップＳ１０６では、第１目標値特定部２５ｇによって、快適域内の第１目標値が特定され、その後ステップＳ１０８に進む。
【０１１７】
一方、ステップＳ１０７では、第２目標値特定部２５ｈによって、快適域内の第２目標値が特定され、その後ステップＳ１０８に進む。ステップＳ１０８では、特定された第１目標値または第２目標値（特定値）に基づいて、空調機１１および湿度制御器１２に対する制御指令が生成される。その後、ステップＳ１０９に進み、制御指令が空調機１１および湿度制御器１２に送信される。これにより、制御指令に基づいて、空調機１１および湿度制御器１２が制御される。
【０１１８】
一方、ステップＳ１１０（すなわち、現室外温度および現室外湿度に対応する温度および湿度が快適域記憶領域２４ｂに記憶されていない場合には）では、快適域記憶領域２４ｂに記憶されている初期値に基づいて、快適域設定部２５ｅによって快適域が設定される。その後、ステップＳ１１１に進む。
【０１１９】
ステップＳ１１１では、初期値に基づいて、画像ＦＧが表示される。具体的には、快適域設定部２５ｅによって設定された快適域に基づいて、外側形状ＯＦＧが形成される。また、内包温湿度領域決定情報に基づいて、内側形状ＩＦＧが形成される。その後ステップＳ１１２に進む。
【０１２０】
ステップＳ１１２では、制御モードが判定される。制御モード受付部２５ｄによって受け付けられた制御モードが省エネ重視モードであれば、ステップＳ１１３に進む。制御モード受付部２５ｄによって受け付けられた制御モードが快適性重視モードであれば、ステップＳ１１４に進む。
【０１２１】
ステップＳ１１３では、第１目標値特定部２５ｇによって、快適域内の第１目標値が特定され、その後ステップＳ１１５に進む。一方、ステップＳ１１４では、第２目標値特定部２５ｈによって、快適域内の第２目標値が特定され、その後ステップＳ１１５に進む。
【０１２２】
ステップＳ１１５では、快適域と室外情報とが関連付けられ、快適域記憶領域２４ｂに記憶される。その後、ステップＳ１０８に進み、目標値に基づいた制御指令が生成され、ステップＳ１０９で当該制御指令が空調機１１および湿度制御器１２に送信される。
【０１２３】
（ｉｉ）変更指令受付時
次に、図６Ｃを用いて、ユーザから快適域の変更指令を受け付けた時の処理の流れについて説明する。
【０１２４】
ステップＳ１５０では、ユーザによる快適域の変更指令が、変更指令受付部２５ｃによって受け付けられたか否かが判定される。すなわち、操作ボタンＯＢ１の操作による信号を受け付けたか否かが判断される。ステップＳ１５０において、変更指令に係る信号が受け付けられない場合には、信号を受け付けるまで待機し、変更指令に係る信号が受け付けられた場合には、ステップＳ１５１に進む。
【０１２５】
ステップＳ１５１では、快適域設定部２５ｅによって設定された快適域に基づいて、画像ＦＧが表示される。その後ステップＳ１５２に進む。
【０１２６】
ステップＳ１５２では、制御モードが判定される。制御モード受付部２５ｄによって受け付けられた制御モードが省エネ重視モードであれば、ステップＳ１５３に進む。制御モード受付部２５ｄによって受け付けられた制御モードが快適性重視モードであれば、ステップＳ１５４に進む。
【０１２７】
ステップＳ１５３では、第１目標値特定部２５ｇによって、快適域内の第１目標値が特定され、その後ステップＳ１５５に進む。一方、ステップＳ１５４では、第２目標値特定部２５ｈによって、快適域内の第２目標値が特定され、その後ステップＳ１５５に進む。ステップＳ１５３またはステップＳ１５４で特定された第１目標値または第２目標値に基づいて空調機１１および／または湿度制御器１２が制御される。
【０１２８】
ステップＳ１５５では、室外情報取得部２５ｂによって、現室外温度および現室外湿度が取得される。その後、ステップＳ１５６進む。
【０１２９】
ステップＳ１５６では、室外情報取得部２５ｂによって取得された現室外温度および現室外湿度と、変更指令に基づいて快適域設定部２５ｅによって設定された快適域とを関連付けて記憶する。これにより、コントローラ２０は、室外温度および室外湿度に応じてユーザが好む室内環境を学習する。その後、ステップＳ１５０に戻る。
【０１３０】
〔制御指令生成処理〕
次に、図７を用いて、制御指令生成処理について説明する。
【０１３１】
快適域設定部２５ｅによって快適域が設定されると、室内情報取得部２５ａによって、現室内温度および現室内湿度が取得される。次に、ステップＳ２０２において、現室内温度および現室内湿度が快適域内か否かが判定される。ステップＳ２０２において、現室内温度および現室内湿度が快適域内であれば、ステップＳ２０１に戻り、現室内温度および現室内湿度が快適域の外であれば、ステップＳ２０３に進む。
【０１３２】
ステップＳ２０３では、制御モードが判定される。ここで、制御モードが省エネ重視モードである場合には、ステップＳ２０４に進み、快適性重視モードである場合には、ステップＳ２０５に進む。ステップＳ２０４では、第１目標値特定部２５ｇによって第１目標値が特定される。その後ステップＳ２０６に進む。一方、ステップＳ２０５では、第２目標値特定部２５ｈによって第２目標値が特定される。その後ステップＳ２０６に進む。
【０１３３】
ステップＳ２０６では、第１目標値または第２目標値に基づいて、制御指令が生成される。また、制御指令が空調機１１および／または湿度制御器１２に送られる。その後、ステップＳ２０７に進む。
【０１３４】
ステップＳ２０７において、室内情報取得部２５ａによって、現室内温度および現室内湿度が取得される。その後、ステップＳ２０８に進む。
【０１３５】
ステップＳ２０８では、現室内温度および現室内湿度が内側形状ＩＦＧに達したか否かが判定される。具体的には、快適域の限界温度から１℃シフトさせた値および快適域の限界湿度から５％シフトさせた値に、現室内温度および現室内湿度が到達したかが判断される。ステップＳ２０８において、現室内温度および現室内湿度が内側形状ＩＦＧに達していない場合には、ステップＳ２０７に戻り、内側形状ＩＦＧに達するまで待機する。一方、ステップＳ２０８において、現室内温度および現室内湿度が内側形状ＩＦＧに達した場合には、ステップＳ２０９に進む。
【０１３６】
ステップＳ２０９では、制御指令生成部２５ｉによってＯＦＦ指令が生成され、空調機１１および／または湿度制御器１２に送信される。その後、ステップＳ２０１に戻る。
【０１３７】
〈特徴〉
（１）
上記実施形態に係るコントローラ２０は、ユーザの所望により快適域を移動および拡大・縮小することができる。ユーザが快適であると感じる温度および湿度は、各ユーザによって異なる。しかし、従来の技術では、各ユーザの意図を反映させることが困難であった。一方、上記実施形態に係るコントローラ２０では、ユーザが所望する範囲に快適域を移動および拡大・縮小することができるため、各ユーザの意図を十分に反映させることができる。
【０１３８】
（２）
上記実施形態に係るコントローラ２０では、ユーザによって過去に設定された快適域と、当該快適域が設定された時の室外情報とが関連付けて記憶されている。これによって、コントローラ２０で、室外環境と、当該室外環境に対応するユーザの快適域とが学習されていく。したがって、室外環境に応じた快適な室内環境をユーザに提供することができる。
【０１３９】
（３）
上記実施形態では、ユーザが設定した快適域が表示部２２（表示領域ＤＡ）に表示される。また、室内情報取得部２５ａによって取得される室内温度および室内湿度が表示領域ＤＡにおいて表示される（符号ＰＰ）。したがって、ユーザは、自分の意図が反映されていることを確認することができる。これにより、ユーザの要求を満たすことができる。
【０１４０】
（４）
また、上記実施形態では、制御指令生成の際、ヒステリシスを考慮して制御指令が生成される。そのため、空調機１１および湿度制御器１２の頻繁なＯＮ／ＯＦＦ切り替えを抑制することができる。
【０１４１】
〈変形例〉
（１）
上記実施形態では、コントローラ２０を用いて、空調機１１と湿度制御器１２とからなる空調機器１０を制御したが、空調機器１０は、空調機１１および湿度制御器１２の双方の機能を備えた一の装置を用いてもよい。
【０１４２】
（２）
上記実施形態で用いる空調機１１は、シングルタイプの空調機に限られない。すなわち、空調機１１がマルチタイプの空調機であってもよい。
【０１４３】
（３）
上記実施形態では、現室内温度および現室内湿度を、表示領域ＤＡにおける点ＰＰによって示したが、現室内温度および現室内湿度を示す態様は、点ＰＰに限られない。すなわち、図８の符号ＰＰ１で示すように、現室内温度および現室内湿度を文字で表記してもよい。
【０１４４】
（４）
また、図９に示すように、上記実施形態に係るコントローラ２０に、室内情報記憶領域２４ｃをさらに備えてもよい。室内情報記憶領域２４ｃは、室内情報取得部２５ａによって取得された室内温度および室内湿度の推移を時系列で記憶する。これにより、図１０に符号ＰＬを用いて示すように、表示領域ＤＡに室内温度および室内湿度の推移を表示させることができる。これにより、室内環境がユーザの所望する室内温度および室内湿度に変移していく様子を視覚的に確認することができる。
【０１４５】
（５）
上記実施形態では、快適域の初期値として、ＡＳＨＲＡＥが採用している標準有効温度（ＳＥＴ＊）を用いたが、初期値はこれに限られるものではない。
【０１４６】
また、初期値をユーザによって設定できるようにしてもよい。例えば、中心温度および中心湿度をユーザが設定し、当該中心温度および中心湿度を中心とし、所定の温度幅および所定の湿度幅を有する快適域が初期値となるように設計されてもよい。
【０１４７】
また、図１１に示すように、現在の環境に対するユーザの快適性を入力できるように設計することにより、快適域の初期値を設定してもよい。さらに、図１１において、画面を用いて入力する設定が、快適域設定キーに割り当てられていてもよい。
【０１４８】
（６）
また、図１２に示すように、上記実施形態に係るコントローラ２０に、座標記憶領域２４ｄをさらに備えてもよい。また、上記実施形態では、入力部２３は、主として操作ボタンから構成されていたが、入力部２３が、操作ボタンに加え、ディスプレイを覆うタッチパネルから構成させる。上記実施形態では、操作ボタンＯＢ１を用いて、上限湿度線ｈｍ１、下限湿度線ｈｍ２、上限温度線ｔｐ１、および下限温度線ｔｐ２を上下左右に移動させたが、このような構成を採用することにより、ユーザがディスプレイ上の上限湿度線ｈｍ１、下限湿度線ｈｍ２、上限温度線ｔｐ１、および下限温度線ｔｐ２を直接上下左右に移動させることにより、快適域を示す外側形状ＯＦＧを移動または拡大・縮小することができる。これにより、快適域の変更がより容易になる。
【０１４９】
（７）
また、上記実施形態と同様、ユーザによって設定された快適域を表示できる画像であれば、表示部２２に表示する画像は、上記菱型に近い形状を有する画像ＦＧでなくてもよい。例えば、棒グラフを用いて、快適域の限界温度値および快適域の限界湿度値を表示し、当該棒グラフの高さを変更することにより、快適域を変更できるようにしてもよい。
【０１５０】
（８）
上記実施形態では、同一の室外環境に対して、異なる快適域が設定された場合に、過去の快適域が新たな快適域によって更新され、制御指令生成部２５ｉは、新たな快適域に基づいて制御指令を生成したが、快適域記憶領域２４ｂに記憶されている過去の快適域と新たな快適域との双方を記憶しておき、双方の快適域を考慮した制御指令が生成されるように設計してもよい。例えば、過去の快適域と新たな快適域とを平均化させた値に基づいた制御指令を生成してもよい。
【０１５１】
（９）
上記実施形態では、湿度制御器１２は、室内に配置されていたが、湿度制御器１２は、図１３に示すように、天井裏ＣＬに配置されていてもよい。また、上記実施形態では、湿度制御器は、室内の空気を内部に取り込み、内部に取り込んだ空気を除湿または加湿することにより、室内湿度を制御したが、図１３に示すような湿度制御器１２を用いて、室外の空気をさらに取り込み、室内ＲＭに送り出すことで、室内の湿度を制御してもよい。
【０１５２】
（１０）
また、上記実施形態では、空調機１０に備えられた各種センサ１１ｃ〜１１ｄを用いて室内外の温度および湿度を検出したが、空調機１０が各種センサ１１ｃ〜１１ｄの全てを備えておらず、湿度制御器１２および／またはコントローラ２０が各種センサ１１ｃ〜１１ｄの全部または一部を備えていてもよい。
【０１５３】
例えば、室内温度センサおよび／または室内湿度センサがコントローラ２０に備えられていてもよい。また、室内湿度センサは、湿度制御器１２に備えられていてもよい。さらに、湿度制御器１２を変形例（９）に係る湿度制御器１２に変更することにより、室内湿度センサおよび室外湿度センサが湿度制御器１２に備えられていてもよい。
【０１５４】
（１１）
上記実施形態では、表示領域ＤＡに、外側形状ＯＦＧおよび内側形状ＩＦＧが表示されたが、内側形状ＩＦＧは、表示領域ＤＡに表示されなくてもよい。
【０１５５】
（１２）
上記実施形態では、省エネ重視モードが選択された場合に、第１目標値特定部２５ｇによって、快適域内に含まれる複数の快適温湿度値の中から、最も消費電力が少ない快適温湿度値が第１目標値として特定された。これにより、省エネ重視で空調機１１および湿度制御器１２の制御が行われるものであった。しかし、第１目標値特定部２５ｇによって特定される第１目標値は、他の方法により特定されてもよい。例えば、エンタルピー差を用いて、負荷が最小になる目標点を第１目標値として特定してもよい。
【０１５６】
（１３）
快適域記憶領域２４ｂに、季節に応じた快適域、快適温湿度、および内包温湿度領域決定情報が記憶されていてもよい。これにより、季節に応じて、空調機１１および湿度制御器１２の最適な制御を行うことができる。
【産業上の利用可能性】
【０１５７】
本発明は、ユーザが要求する空調環境の実現を可能にする空調機器制御装置として有用である。
【符号の説明】
【０１５８】
１０  空調機器
１１  空調機
１２  湿度制御器
２０  コントローラ
１００  空調機器制御システム
【先行技術文献】
【特許文献】
【０１５９】
【特許文献１】特開２００８−１７００２５号公報
【図１】
2011058668.tif 000003
【図２】
2011058668.tif 000004
【図３Ａ】
2011058668.tif 000005
【図３Ｂ】
2011058668.tif 000006
【図４】
2011058668.tif 000007
【図５Ａ】
2011058668.tif 000008
【図５Ｂ】
2011058668.tif 000009
【図５Ｃ】
2011058668.tif 000010
【図５Ｄ】
2011058668.tif 000011
【図６Ａ】
2011058668.tif 000012
【図６Ｂ】
2011058668.tif 000013
【図６Ｃ】
2011058668.tif 000014
【図７】
2011058668.tif 000015
【図８】
2011058668.tif 000016
【図９】
2011058668.tif 000017
【図１０】
2011058668.tif 000018
【図１１】
2011058668.tif 000019
【図１２】
2011058668.tif 000020
【図１３】
2011058668.tif 000021